(57)【要約】【課題】  記録再生装置が電源ＯＦＦ状態時に、本体およびリモコンなどの遠隔操作機器にて電子番組表を表示する際、自動で電源ＯＮすることができる記録再生装置及びこの装置を用いた番組情報取得方法を提供する。【解決手段】  記録媒体に映像・音声信号を記録または前記記録媒体から前記映像・音声信号を再生することが可能な記録再生装置において、ユーザからの操作要求を入力する操作入力部と、この操作入力部によって入力された前記操作要求を受信する受信器と、前記記録再生装置の電源であって電源のＯＮ／ＯＦＦを実行する電源部と、前記電源部がＯＦＦの場合であって前記受信部からの前記操作要求を受信すると、前記電源部の電源をＯＮするよう指示する制御部とを具備することを特徴とする。【選択図】      図１
2007318312.tif 000002
【特許請求の範囲】
【請求項１】
記録媒体に映像・音声信号を記録または前記記録媒体から前記映像・音声信号を再生することが可能な記録再生装置において、
ユーザからの操作要求を入力する操作入力部と、
この操作入力部によって入力された前記操作要求を受信する受信器と、
前記記録再生装置の電源であって電源のＯＮ／ＯＦＦを実行する電源部と、
前記電源部がＯＦＦの場合であって前記受信部からの前記操作要求を受信すると、前記電源部の電源をＯＮするよう指示する制御部とを具備することを特徴とする記録再生装置。
【請求項２】
映像・音声信号に含まれる電子番組情報を取得する番組情報取得方法において、
外部から供給された前記映像・音声信号をチューナによってデコードし、
デコードされた前記映像・音声信号に含まれる前記電子番組情報から電子番組表を形成し、
過去に録画した番組を蓄積しこの蓄積した前記番組からユーザの好みを抽出した嗜好情報と、前記電子番組表とを比較し、
現在放送中の番組で前記嗜好情報の条件に最も合うユーザの好みの番組がある場合は、前記電子番組表内の前記好みの番組を初期位置として表示させ、かつ、前記チューナのチャンネルの初期位置として設定されることを特徴とする番組情報取得方法。
【請求項３】
前記嗜好情報と前記電子番組表との比較結果で、２番目以降の番組候補にも色を付けたり、点滅させたりしてユーザに知らせることを特徴とする請求項２記載の番組情報取得方法。
【請求項４】
映像・音声信号に含まれる電子番組情報を取得する番組情報取得方法において、
外部から供給された前記映像・音声信号をチューナによってデコードし、
デコードされた前記映像・音声信号に含まれる前記電子番組情報から電子番組表を形成し、
過去に録画した番組を蓄積しこの蓄積した前記番組からユーザの好みを抽出した嗜好情報と、前記電子番組表とを比較し、
現在放送中の番組で前記嗜好情報の条件に最も合うユーザの好みの番組がない場合は、前記電子番組表内の前チャンネルを初期位置として表示させることを特徴とする番組情報取得方法。
【発明の詳細な説明】
【技術分野】
【０００１】
この発明は、光ディスクやハードディスク等の記録媒体に情報を記録、または記録された情報を再生する記録再生装置及びこの装置を用いた番組情報取得方法に関する。
【背景技術】
【０００２】
近年、ＴＶチューナーで受信した放送番組の映像信号および音声信号を記録したり、また記録された映像信号および音声信号を再生したりと、ユーザのニーズに合った機能を盛り込んだ記録再生装置が一般に普及されてきている。
【０００３】
そんな中、電子番組表の表示要求に対して、ユーザの好みの電子番組表を表示できるようにした記録再生装置が開発されてきている。特に、特開２００３−２１９２９８号公報には、放送番組に関してユーザが所望するキーワードを入力し、付帯情報の中から上記キーワードが含まれている番組情報を検索して、検索された番組情報について重み付け演算を行ってその重み付けが識別できるような態様で電子番組表を表示するようにしたものが記載されている。
【特許文献１】特開２００３−２１９２９８号公報（段落番号００２７−００３２、図１０）
【発明の開示】
【発明が解決しようとする課題】
【０００４】
上記特許文献１に記載の技術によると、番組表の表示要求に対して、ユーザの好みが識別できるようにした番組表が表示される。しかしながら、現在放送中の番組で好みの番組を見つける場合、電源ＯＦＦ状態からでは、電源をＯＮにし、番組表を呼出し、現在放送時間に番組表を合わせるという作業が必要になる。また、電源ＯＮでのチャンネル状態は電源ＯＦＦ時の状態が記憶されているため、現在放送中の好みの番組を視聴するには、チャンネルを更に切換える手間が必要になるという問題がある。
【０００５】
そこで、本発明は上記の問題を解決するために成されたものであり、記録再生装置が電源ＯＦＦ状態時に、本体およびリモコンなどの遠隔操作機器にて電子番組表を表示する際、自動で電源ＯＮすることができる記録再生装置及びこの装置を用いた番組情報取得方法を提供する。
【０００６】
また、本発明は上記の問題を解決するために成されたものであり、過去に記録されたものからユーザの好みを判別し、その判別結果から現在放送されている各放送局の番組で最も近い形態の番組の位置を初期位置とすることができる記録再生装置及びこの装置を用いた番組情報取得方法を提供する。
【課題を解決するための手段】
【０００７】
上記した課題を解決するために、この発明は、記録媒体に映像・音声信号を記録または前記記録媒体から前記映像・音声信号を再生することが可能な記録再生装置において、ユーザからの操作要求を入力する操作入力部と、この操作入力部によって入力された前記操作要求を受信する受信器と、前記記録再生装置の電源であって電源のＯＮ／ＯＦＦを実行する電源部と、前記電源部がＯＦＦの場合であって前記受信部からの前記操作要求を受信すると、前記電源部の電源をＯＮするよう指示する制御部とを具備することを特徴とする。
【０００８】
また上記した課題を解決するために、この発明は、映像・音声信号に含まれる電子番組情報を取得する番組情報取得方法において、外部から供給された前記映像・音声信号をチューナによってデコードし、デコードされた前記映像・音声信号に含まれる前記電子番組情報から電子番組表を形成し、過去に録画した番組を蓄積しこの蓄積した前記番組からユーザの好みを抽出した嗜好情報と、前記電子番組表とを比較し、現在放送中の番組で前記嗜好情報の条件に最も合うユーザの好みの番組がある場合は、前記電子番組表内の前記好みの番組を初期位置として表示させ、かつ、前記チューナのチャンネルの初期位置として設定されることを特徴とする。
【発明の効果】
【０００９】
この発明によれば、電源ボタンを押下しなくても、記録再生機器が電源ＯＦＦ状態から「電子番組表表示」ボタンのみで電源ＯＮされ、すぐに電子番組表が表示される。
【００１０】
また、現在放送中の各放送局の番組の中でユーザが最も好みそうな番組を自動で検索し、その結果が電子番組表の初期位置となるのでユーザによる電子番組表内での移動操作が少なくて済むといった効果が得られる。
【発明を実施するための最良の形態】
【００１１】
以下、この発明の実施例について、図面を参照しながら詳細に説明する。
図１は、本発明の記録再生装置に係る実施の形態の概略構成を示すブロック図である。
図１において、この実施形態に示される記録再生装置１０には、いわゆる地上波放送の受信チューナ（以下、地上波チューナと略称する）１が内蔵され、この地上波チューナ１には、アンテナ端子１１に接続される地上波放送の受信アンテナ（以下、地上波アンテナと略称する）２０からの受信信号が供給される。
【００１２】
また、いわゆる衛星（ＢＳ／ＣＳ）放送の受信アンテナ（以下、衛星アンテナと略称する）３０からの受信信号が、外付けの衛星放送の受信チューナ（以下、ＢＳ／ＣＳチューナと略称する）３１に供給され、受信復調されたデジタルデータ信号と、さらにデコードされたアナログテレビジョン信号が取り出される。
【００１３】
さらに、外付けのＢＳ／ＣＳチューナ３１から取り出されるアナログテレビジョン信号が、記録再生装置１０のアナログ入力端子１２に供給されると共に、ＢＳ／ＣＳチューナ３１から取り出されるデジタルデータ信号が、記録再生装置１０のデータ入力端子１３に供給される。
【００１４】
そして、データ入力端子１３に供給されるデジタルデータ信号が、制御ＣＰＵ（Ｃｅｎｔｒａｌ Ｐｒｏｃｅｓｓｉｎｇ Ｕｎｉｔ）２に供給され、例えばデジタルデータ信号中に含まれる電子番組表（Ｅｌｅｃｔｒｉｃ ＰｒｏｇｒａｍＧｕｉｄｅ：ＥＰＧ）のデータが取得されて、電子番組表が形成される。
【００１５】
また、記録再生装置１０に内蔵の地上波チューナ１で受信復調されるアナログテレビジョン信号からも、重畳されたＥＰＧのデータが取り出されて、制御ＣＰＵ２に供給される。この地上波のＥＰＧのデータについても電子番組表が形成される。
【００１６】
そして、例えば形成される電子番組表を用いて、記録される所望の番組の放送時間帯と放送チャンネル等が設定され、この設定された内容に応じて記録手段となる録画装置３が駆動されると共に、内蔵の地上波チューナ１及び外付けのＢＳ／ＣＳチューナ３１に選局等の制御信号が供給される。
【００１７】
これによって、内蔵の地上波チューナ１及び外付けのＢＳ／ＣＳチューナ３１で、受信復調及びデコードされたテレビジョン信号の映像信号及び音声信号等が録画装置３に記録される。なお、録画装置３での記録再生に当っては、周知のＡ／Ｄ、Ｄ／Ａ変換等が行われるが、図示は省略する。
【００１８】
さらに、録画装置３に記録されたテレビジョン信号の映像信号及び音声信号等が、制御ＣＰＵ２の制御に従って再生され、混合器４を通じて出力端子１４に取り出される。そして出力端子１４に取り出された信号は、表示装置４０に供給されて、映像信号の表示及び音声信号の放音等が行われる。
【００１９】
また、制御ＣＰＵ２で形成された電子番組表の画像や、その他の操作ガイドの画像が、混合器４に供給され、録画装置３から再生される映像信号に重畳される。これにより、これらの電子番組表や操作ガイド等の画像は、表示装置４０で受像される映像信号の画面に重畳して表示される。
【００２０】
これらの電子番組表や操作ガイド等の画像を見ながら、あるいは見ずに、リモートコントロール装置５０を用いて、記録再生装置１０の制御が行われる。なお、制御は、リモートコントロール装置５０からの信号がリモートコントロール受信器１５で受信され、その受信信号が制御ＣＰＵ２に供給されて行われる。そして、このような記録再生装置１０において、ＥＰＧのデータが取得されて電子番組表が形成されると、例えば図２に示すような電子番組表の画像が表示装置４０に表示される。
【００２１】
図２は、電子番組表内の初期位置を示した図である。過去に録画した番組の情報を蓄積しておき、その蓄積情報から、ユーザ好みの嗜好情報（例えば、番組名、ジャンル、出演者、好みの放送局、各時間帯での録画内容等のような項目とその回数など）から、現在放送中の各放送局の番組の番組情報を比較し、最も一致している番組を電子番組表内の初期位置としている。図に示すように、例えば現在時刻が７：１０で過去に映画の録画が多い場合などでは、ＸＸテレビの７時から９時までの映画「ＸＸＸＸＸＸ」が初期位置（網掛け）となるように表示される。なお、表示に関しては検索結果で２番目、３番目の候補など色をつけたり、点滅させたりするなどして何番組かの候補をユーザに知らせてもよい。
【００２２】
次に、図３は電子番組表の取得処理の動作を示すフローチャートであり、図２に示す電子番組表画面例を参照して、記録再生装置１０の番組表取得処理について説明する。
【００２３】
電子番組表を提示するための番組情報は、受信アンテナ３０および外付けのＢＳ／ＣＳチューナ３１を経てデジタルデータ信号として映像録画装置１０のデータ入力端子１３に入力される。データ入力端子１３に供給されるデジタルデータ信号が、制御ＣＰＵ２に供給され、例えばデジタルデータ信号中に含まれるＥＰＧのデータが取得されて、電子番組表が形成される。すなわち、電子番組表の表示要求がリモートコントロール５０から入力されると、リモートコントロール受信器１５を介して制御ＣＰＵ２に供給され、制御ＣＰＵ２は図３に示す処理によって表示に必要な番組情報の取得処理が開始される。
【００２４】
図３に示すように、まずユーザによってリモートコントロール５０から電子番組表表示ボタンが押されると（ステップＳ４０１）、リモートコントロール受信器１５を介して制御ＣＰＵ２に信号が供給される。制御ＣＰＵ２はこの信号を受け取ると電源部１６に電源をＯＮするよう指示し、電源部１６は制御ＣＰＵ２からの指示により電源をＯＮする（ステップＳ４０２）。次に、制御ＣＰＵ２は既に取得済みの電子番組情報とユーザの嗜好情報を比較し、現在放送中に好みの番組があるか判断する（ステップＳ４０３）。嗜好情報とは例えば番組名、ジャンル、出演者、好みの放送局、各時間帯での録画内容等のような項目とその回数などの条件を示す。現在放送中の番組で好みの番組がある場合、すなわち、嗜好情報の条件に最も合うユーザ好みの番組がある場合は（ステップＳ４０３のＹｅｓ）、制御ＣＰＵ２は表示装置４０の画面上に電子番組表内の好みの番組を初期位置として表示させ（図２参照）、かつ、ＢＳ／ＣＳチューナ３１のチャンネルの初期位置として設定する（ステップＳ４０４）。すなわち、制御ＣＰＵ２はＢＳ／ＣＳチューナ３１に電源ＯＦＦ時に初期位置にするよう指示しＢＳ／ＣＳチューナ３１によって設定される。また、現在放送中の番組で好みの番組がない場合は（ステップＳ４０３のＮｏ）、電源ＯＦＦ時のチャンネル状態を初期位置として表示させる。すなわち、電子番組表内の前チャンネルを初期位置として表示させる（ステップＳ４０５）。
【００２５】
図４は図３の動作説明を視覚的に示した概観図である。記録再生装置１０は電源ＯＦＦ状態で表示装置４０と接続され、リモートコントロール（リモコン）５０からの信号を受信できる環境にあるとする。この状態でユーザが電子番組表表示ボタンを押下すると、上述したようにリモコン５０からの信号を制御ＣＰＵ２が受信して電源部１６の電源をＯＮさせ、表示装置４０の画面に電子番組表が表示される。
【００２６】
以上のように、ユーザから見れば、電源ボタンを押下しなくても、記録再生装置が電源ＯＦＦ状態から「電子番組表表示」ボタンのみで電源ＯＮされ、すぐに電子番組表が表示されるため、操作性を向上させることができる。
【００２７】
また図２で示したように、現在放送中の各放送局の番組の中でユーザが最も好みそうな番組を自動で検索し、その結果が電子番組表の初期位置となるのでユーザによる電子番組表内での移動操作が少なくて済み、これも操作性を向上させることができる。
【００２８】
本発明は、上記実施形態に限定されるものではなく、実施段階では、その要旨を逸脱しない範囲で種々に変形することが可能である。
【図面の簡単な説明】
【００２９】
【図１】本発明の一実施の形態による記録再生装置の概略構成図。
【図２】電子番組表内の初期位置を示した図である。
【図３】電子番組表の取得処理動作を示すフローチャートである。
【図４】図３の動作説明を視覚的に示した概観図である。
【符号の説明】
【００３０】
１  地上波チューナ
２  制御ＣＰＵ
３  録画装置
４  混合器
１０  記録再生装置
１５  リモートコントロール受信器
１６  電源部
２０  地上波アンテナ
３０  衛星アンテナ
３１  ＢＳ／ＣＳチューナ
４０  表示装置
５０  リモートコントロール
【図１】
2007318312.tif 000003
【図２】
2007318312.tif 000004
【図３】
2007318312.tif 000005
【図４】
2007318312.tif 000006